(57)【特許請求の範囲】
【請求項１】
２つの負荷分岐部（ｔａｐ  ｎ、ｔａｐ  ｎ＋１）を有する負荷時タップ切換変圧器の巻線タップ間で無瞬断切換を行うための方法であって、
前記２つの負荷分岐部（ｔａｐ  ｎ、ｔａｐ  ｎ＋１）がそれぞれ、１つの機械的なスイッチ（ＤＳa 、ＤＳb ）と、前記機械的なスイッチ（ＤＳa 、ＤＳb ）に直列に配置された直列接続部とを介して、１つの共通の負荷放電部に接続可能であり、前記直列接続部が、２つの逆向きに接続されたＩＧＢＴ（Ｉan、Ｉap；Ｉbn、Ｉbp）からなり、  各ＩＧＢＴ（Ｉan、Ｉap；Ｉbn、Ｉbp）に並列に１つのダイオード（ｄan、ｄap；ｄbn、ｄbp）が設けられ、
各ＩＧＢＴ（Ｉap、Ｉap；Ｉbn、Ｉbp）に並列に１つのバリスタ（Ｖan、Ｖap；Ｖbn、Ｖbp）が設けられ、
前記２つの負荷分岐部（ｔａｐ  ｎ、ｔａｐ  ｎ＋１）をそれぞれ、１つの機械的な主固定接点（ＭＣa 、ＭＣb ）で橋絡することができる方法であって、
−両側の作動接点ＤＳa 、ＤＳb を閉じるステップと、
−オフに切り換わる側のＩＧＢＴ  Ｉan、Ｉapのゲートに開始電圧を印加し、それにより前記ＩＧＢＴ  Ｉan、Ｉapをオンに切り換えるステップと、
−オフに切り換わる側の主固定接点ＭＣa を開くステップと、
−オフに切り換わる側のＩＧＢＴに負荷電流ＩL を転流するステップと、
−オフに切り換わる側のＩＧＢＴ  Ｉan、Ｉapをオフに切り換え、オンに切り換わる側のＩＧＢＴ  Ｉbn、Ｉbpをオンに切り換え、その際、オフに切り換わる側のＩＧＢＴ  Ｉan、Ｉapからそれと並列のバリスタＶan、Ｖapに負荷電流を転流させた後、オフに切り換わる側のバリスタＶan、Ｖapからオンに切り換わる側のＩＧＢＴ  Ｉbn、Ｉbpに負荷電流を転流させて、それまでオンに切り換えられていた巻線タップから新たにオンに切り換えるべき巻線タップに負荷電流を転流することによって、オフに切り換わる側のＩＧＢＴ  Ｉan、Ｉapが「確実に」オフに切り換わるようにするステップと、
−受電側の主固定接点ＭＣb を閉じるステップと、
−受電側のＩＧＢＴ  ＩbnおよびＩbpをオフに切り換えるステップと、
−両側の機械的な接点ＤＳa およびＤＳb を開くステップと
を備えることを特徴とする方法。
【請求項２】
電流ゼロ交差検出がさらに行われ、切換または転流プロセスが、負荷電流の前記電流ゼロ交差に時間的に近接して行われることを特徴とする請求項１に記載の方法。
【請求項３】
２つの負荷分岐部（ｔａｐ  ｎ、ｔａｐ  ｎ＋１）を有する負荷時タップ切換変圧器の巻線タップ間で無瞬断切換を行うための方法であって、
前記２つの負荷分岐部（ｔａｐ  ｎ、ｔａｐ  ｎ＋１）がそれぞれ、２つの逆向きに接続されたＩＧＢＴ（Ｉan、Ｉap；Ｉbn、Ｉbp）からなる直列接続部を備え、
各ＩＧＢＴ（Ｉan、Ｉap；Ｉbn、Ｉbp）に並列に１つのダイオード（ｄan、ｄap；ｄbn、ｄbp）が接続され、
各ＩＧＢＴ（Ｉan、Ｉap；Ｉbn、Ｉbp）に並列に１つのバリスタ（Ｖan、Ｖap；Ｖbn、Ｖbp）が接続される方法であって、
−まず、オフに切り換わる側のＩＧＢＴ  ＩanおよびＩapを通して負荷電流を導くステップと、
−その後、オフに切り換わる側のＩＧＢＴ  Ｉan、Ｉapをオフに切り換え、オンに切り換わる側のＩＧＢＴ  Ｉbn、Ｉbpをオンに切り換え、その際、オフに切り換わる側のＩＧＢＴ  Ｉan、Ｉapからそれと並列のバリスタＶan、Ｖapに負荷電流を転流させた後、オフに切り換わる側のバリスタＶan、Ｖapからオンに切り換わる側のＩＧＢＴ  Ｉbn、Ｉbpに負荷電流を転流させて、それまでオンに切り換えられていた巻線タップから新たにオンに切り換えるべき巻線タップに負荷電流を転流することによって、オフに切り換わる側のＩＧＢＴ  Ｉan、Ｉapが「確実に」オフに切り換わるようにするステップと、
を備える方法。
【発明の詳細な説明】
【技術分野】
【０００１】
本発明は、半導体スイッチ素子を用いて負荷時タップ切換変圧器の巻線タップ間で無瞬断切換を行うための方法に関する。
【背景技術】
【０００２】
半導体スイッチ素子を使用するかかる方法は、特許文献１から知られている。その文献に記載されている方法は、電気的なスイッチ手段、すなわちＩＧＢＴと、機械的な接点との両方を用いて行われる。実際の負荷切換は、ブリッジ整流器内のダイオードを備える２つのＩＧＢＴによって負荷電流のゼロ交差時に行われるように構成される。この既知の方法に必要な一要素は、電流ゼロ交差の時点で負荷切換を導入するための前提条件として、各回の電流ゼロ交差を認識して検知することである。
【０００３】
特許文献２から、ＩＧＢＴスイッチ装置を用いたさらなる方法が知られており、その方法では、電力変圧器の制御巻線のタップが、２つのＩＧＢＴの直列接続部を介して、共通の負荷放電部（Ｌａｓｔａｂｌｅｉｔｕｎｇ）に接続される。この既知の方法は、パルス幅変調の原理に従って行われる。すなわち、その際、さらなる方法ステップにおいて、ステップ巻線の過渡無効リアクタンス（ｔｒａｎｓｉｅｎｔｅ  ｒｅａｋｔｉｖｅ  Ｒｅａｋｔａｎｚ）（ＴＥＲ）によって回路電流の制限が行われる。
【０００４】
この方法では、切り換えるべきそれぞれの負荷時タップ切換変圧器に負荷時タップ切換器を特別に適合させることが必要である。言い換えると、負荷時タップ切換変圧器と負荷時タップ切換器は互いに適合され、電気的に相互作用する。したがって、この既知の方法は、特定の変換器向けに作られたものではない個別の汎用性のある負荷時タップ切換器での使用には適さない。
【先行技術文献】
【特許文献】
【０００５】
【特許文献１】国際公開第０１／２２４４７号パンフレット
【特許文献２】国際公開第９７／０５５３６号パンフレット
【発明の概要】
【発明が解決しようとする課題】
【０００６】
本発明の目的は、冒頭で挙げた種類の方法であって、簡単に構成され、高い機能性を有し、厳密に負荷電流のゼロ交差の時点で切り換える必要がない方法を提供することである。本発明のさらなる目的は、いつでも、すなわち切り換えるべき具体的な負荷時タップ切換変圧器に適合させなくても機能し得る相応の方法を提供することである。
【課題を解決するための手段】
【０００７】
この目的は、請求項１の特徴をもつ方法によって解決される。従属請求項は、本発明の特に有利な改良形態に関する。
【０００８】
さらに、この目的は、請求項１と同等の請求項３の特徴をもつ修正された方法によって解決される。
【０００９】
本発明による方法は、バリスタを、以前より従来技術から知られているように過電圧保護のための構成要素として使用するのではなく、対応する方法ステップによって、一方の側から他方の側に、すなわちそれまでオンに切り換えられていた巻線タップから、新たにオンに切り換えるべき巻線タップに負荷時タップ切換器の負荷電流を転流するために使用するという本発明の全般的な思想を根底に置く。
【００１０】
本発明による方法では、特別に寸法設計された、各ＩＧＢＴに並列に接続されたバリスタが新規の機能を行う。電源電圧によって発生された印加負荷電流が、オフに切り換えられるＩＧＢＴから並列に位置するバリスタに転流された（小さい転流回路）後、負荷電流が流れるバリスタは、そのＩ−Ｕ特性曲線に対応して電圧を生成し、この電圧は、電流の瞬時値への依存が比較的小さく、ＯＬＴＣの切換プロセス中に実質的に一定である。
【００１１】
ここで、バリスタは、最大電流のピーク値がかかるときに生じるバリスタ電圧が、ＩＧＢＴの最大逆電圧に対してまだ十分な安全マージンをもつように寸法設計される。
【００１２】
他方で、オフに切り換えられるＯＬＴＣ側から、ステップ電圧を介して、負荷電流を受け取る側に負荷電流が転流できる（大きい方の転流回路）ように、バリスタのクランプ電圧（１ｍＡでのＵｖａｒ）は、最大ステップ電圧のピーク値よりも明らかに高くなければならない。
【００１３】
バリスタでの電圧降下の瞬時値とステップ電圧の瞬時値との差ΔＵにより、ステップ巻線の漏れインダクタンスおよびパワーインダクタンスを介して負荷時タップ切換器の受電側へ負荷電流が転流し、差ΔＵが転流プロセスのｄｉ／ｄｔを決定する（ΔＵ＝ＬＫｏｍ・ｄｉ／ｄｔ）。
【００１４】
本発明の方法の範囲内でのバリスタが、従来技術で知られているように過渡過電圧の低減には作用しないことは明らかである。本発明の方法では、バリスタは、方法の一要素として、バリスタの分野では典型的でなく、従来技術では提案されていない以下の機能を担う。
【００１５】
・確実にオフに切り換わるＩＧＢＴからの負荷電流の受取り。
【００１６】
・負荷電流の瞬時値に依存せずに、ＩＧＢＴの最大逆電圧と最大ステップ電圧のピーク値との間の電圧域内になければならない電圧降下の発生。
【００１７】
・負荷時タップ切換器の送電側から、逆向きのステップ電圧を介して、負荷時タップ切換器の受電側に負荷電流を転流する電圧時間領域の提供。
【数１】
0005599796.tif 000002
【００１８】
上に挙げた機能をバリスタが提供することで、パワーエレクトロニクス転流プロセスが劇的に単純化されて軽減される。
【００１９】
・確実に切り換わるＩＧＢＴへのわずかなエネルギー入力。
【００２０】
・転流プロセスにおいて、オフに切り換わる側で必然的に生じる損失エネルギー
【数２】
0005599796.tif 000003
が、特に、厳しい転流要件（負荷電流のより高い瞬時値、逆向きのステップ電圧のより高い瞬時値、切り換えられたステップの大きな漏れインダクタンス）の場合に、大部分はバリスタによって、わずかな部分のみがオフに切り換わるＩＧＢＴによって受け取られる。
【００２１】
・このことにより、パワーエレクトロニクススイッチ群の非常に簡単で安価な寸法設計が可能になる。なぜなら、かなり小さく、高価であり、容量の面での変更がわずかしかできないＩＧＢＴチップの容量に比べて、バリスタを用いた場合のエネルギー容量は適宜変更可能であり、相当大きいからである。
【００２２】
・バリスタによって負荷電流を導くこと、バリスタによって所要の転流電圧時間領域を提供すること、および同様にバリスタによって、その際に生じる損失エネルギーを受け取ることのさらなる好ましい効果として、オフに切り換わるＩＧＢＴ群のオフ切換時点と受電側ＩＧＢＴ群のオン切換時点の同期に関して、非常に広い許容範囲が得られる。以下の切換モードが可能であり許容される。
【００２３】
・間断
オフに切り換わる側のオフ切換プロセスが、受電側のオン切換プロセスの前に行われる。それに対応して、オフに切り換わる側の２つのバリスタの一方を介する負荷電流の電流通過時間が延びる。
【００２４】
・同時
２つのＩＧＢＴ群のオフ切換プロセスとオン切換プロセスが同時に行われる。通常、バリスタでの追加の負荷電流印加時間がない。
【００２５】
・重畳
負荷時タップ切換器の受電側のオン切換プロセスが、オフに切り換わる側のオフ切換プロセスの前に行われる。重畳時間中、２つのＩＧＢＴ群が閉じられ、それにより、この時間中に、ステップ電圧が循環電流を生成し始める。発生する循環電流のｄｉ／ｄｔは、重畳期間中のステップ電圧の瞬時値、および循環電流の回路インダクタンスに依存する。循環電流は、オフに切り換わる側で負荷電流に加わり、オフ切換プロセスの瞬間まで、合計として転流放出することができる電流（ＩＬ（ｔ）＋Ｉｃ（ｔ））が徐々に増加する。これにより、オフに切り換わる側で生じる転流損失エネルギーが上昇し、転流プロセスが長くなる。
【００２６】
本発明による方法は、従来技術に勝る以下のような一連の利点を有する。
【００２７】
両方のＩＧＢＴ群を同時にオンとオフに切り換えるときに、損失が最小になり、かつ転流時間が最短になる。
【００２８】
稼動年数と共に、構成部品の老化および制御エレクトロニクスの動作点のずれにより、重畳または間断切換挙動が約±１０μｓのオーダーで調節される場合でも、本発明によるスイッチ概念ではそれにより機能故障が生じない。
【００２９】
転流損失が多少上昇するにすぎず、また転流時間もいくぶん長くなるにすぎない。
【００３０】
・上述した３つの切換モードいずれにおいても、バリスタのオーム／抵抗エネルギー受取りにより、重要な好ましい副作用として、切換プロセス時に電流および電圧プロファイルが顕著に減衰する。そのような迅速な転流プロセス（１０μｓのオーダー）においてステップ巻線の巻線キャパシタンスおよび漏れインダクタンスとの関連で予想されることがあった外乱振動は、バリスタの強い減衰作用により生じ得ない。
【００３１】
さらに、バリスタにおいて負荷電流が流れることで生じる電圧は比較的一定であり、その結果、転流プロセスで一定のｄｉ／ｄｔが発生する。このことにより、強い励振がさらに生じにくくなる。
【００３２】
・負荷電流が非常に高い場合には、それ自体知られている様式で電流ゼロ交差検出を行い、負荷電流の非常に小さい瞬時値において、電流ゼロ交差に時間的に近接して切換または転流プロセスを行うことが考えられる。
【００３３】
この手段は、ＩＧＢＴおよびバリスタの電流負荷および転流損失エネルギーを大幅に減少させ、かつ転流時間を短縮する。
【００３４】
電流ゼロ交差付近で切換を行うことにより、変更することができないパワーエレクトロニクス素子ハードウェアにおいて、負荷時タップ切換器の定格切換能力データを大幅に向上させることができる。
【００３５】
以下、本発明による方法を、図面に基づいて例としてより詳細に説明する。
【図面の簡単な説明】
【００３６】
【図１】第１の本発明による方法の概略的な流れ図である。
【図２】本発明による方法を実施するのに特に適した、ＩＧＢＴと各ＩＧＢＴに並列に接続されたバリスタとの第１の回路を示す図である。
【図３】本発明による方法を実施するためのさらなる変形回路を示す図である。
【図４】簡略化した本発明による第２の方法の概略的な流れ図である。
【発明を実施するための形態】
【００３７】
図１は、本発明による第１の方法の概略的な流れ図を示す。この方法は、負荷時タップ切換変圧器のそれまでの巻線タップから新たな巻線タップへの切換を行うべき負荷時タップ切換器において、２つの負荷分岐部が提供され、これら２つの負荷分岐部が、１つの機械的なスイッチＤＳａ、ＤＳｂと、それに直列に配置された直列接続部とを介して、１つの共通の負荷放電部に電気的に接続することができ、直列接続部がそれぞれ、各１つの並列のダイオードｄａｎ、ｄａｐ；ｄｂｎ、ｄｂｐを有する２つの逆向きに接続されたＩＧＢＴ  Ｉａｎ、Ｉａｐ；Ｉｂｎ、Ｉｂｐからなり、上記の各ＩＧＢＴに並列に各１つのバリスタＶａｎ、Ｖａｐ；Ｖｂｎ、Ｖｂｐが接続されることを基礎とする。２つの負荷分岐部はそれぞれ、主固定接点ＭＣａまたはＭＣｂによって橋絡することができるはずである。
【００３８】
第１のステップとして、作動接点として機能する両側の機械的なスイッチＤＳａおよびＤＳｂが閉じられる。
【００３９】
その後、オフに切り換わる側のＩＧＢＴ  Ｉａｎ、Ｉａｐに開始電圧が印加される。
【００４０】
その後、オフに切り換わる側の主固定接点ＭＣａが開かれる。
【００４１】
さらにその後、オフに切り換わる側のＩＧＢＴへの負荷電流ＩＬの転流が生じる。
【００４２】
ここで、オフに切り換わる側のこれらのＩＧＢＴ  Ｉａｎ、Ｉａｐはオフ切換命令を受け、それに対し、オンに切り換えるべき側のＩＧＢＴ  Ｉｂｎ、Ｉｂｐはオン切換命令を受ける。
【００４３】
その結果、オフに切り換わる側のＩＧＢＴ  ＩａｎおよびＩａｐは、「確実に」オフに切り換わる。
【００４４】
ここで、本発明によれば、負荷電流は、オフに切り換わる側のバリスタＶａｎおよびＶａｐに転流される。
【００４５】
その後、この負荷電流は、オンに切り換えるべき受電側のＩＧＢＴ  Ｉｂｎ、Ｉｂｐに転流される。
【００４６】
さらにその後、受電側の主固定接点ＭＣｂが閉じられる。
【００４７】
続いて、受電側のＩＧＢＴ  ＩｂｎおよびＩｂｐが、非導通状態に切り換えられる。
【００４８】
最後の方法ステップは、機械的な接点ＤＳａおよびＤＳｂを開くことであり、これらの開いた接点が、ステップ巻線に有効となり得る過渡電圧要求からＩＧＢＴを保護する。
【００４９】
図２は、図１による方法を実現するのに特に適した回路を示す。ここで、２つの巻線タップｔａｐ  ｎおよびｔａｐ  ｎ＋１はそれぞれ、１つの機械的なスイッチＤＳａまたはＤＳｂと直列接続部とを介して、負荷時タップ切換器放電部に接続され、直列接続部はそれぞれ、２つのｎ側の逆向きに接続されたＩＧＢＴ  ＩａｎとＩａｐおよびｎ＋１側のＩＧＢＴ  ＩｂｎとＩｂｐとからなる。各ＩＧＢＴに並列に１つのダイオードｄａｎ、ｄａｐ；ｄｂｎ、ｄｂｐが設けられ、その際、各負荷分岐部において２つのダイオードが互いに逆向きに接続される。
【００５０】
さらに、各ＩＧＢＴそれぞれに並列に各１つのバリスタＶａｎ、ＶａｐまたはＶｂｎ、Ｖｂｐが設けられる。
【００５１】
最後に、定常動作時にスイッチ機構全体をそれぞれ橋絡する各側にある主固定接点ＭＣａまたはＭＣｂも示される。両側のＩＧＢＴ  Ｉａｎ、Ｉａｐ；Ｉｂｎ、Ｉｂｐは、従来技術から知られている１つの共通のＩＧＢＴドライバ（概略的にのみ図示）によって制御される。
【００５２】
バリスタＶａｎ、ＶａｐまたはＶｂｎ、Ｖｂｐは、それらのバリスタ電圧が、それぞれ並列のＩＧＢＴの最大ブロック電圧よりも低く、しかしステップ電圧の最大瞬時値よりも大きくなるように寸法設計される。
【００５３】
以下、本発明による方法、すなわち、例えば、ｔａｐ  ｎからｔａｐ  ｎ＋１への切換シーケンスを、この回路に基づいてもう一度より詳細に説明する。基本位置では、負荷電流は、ｔａｐ  ｎから主固定接点ＭＣａを介して負荷時タップ切換器放電部Ｙに流れる。
【００５４】
切換シーケンスの第１のステップとして、作動接点ＤＳａおよびＤＳｂが閉じられる。
【００５５】
次いで、ＩＧＢＴ  ＩａｎおよびＩａｐのゲートに開始電圧が印加される。ここで主固定接点ＭＣａが開かれ、負荷電流ＩＬをＩＧＢＴ群Ｉａｎ／Ｉａｐに転流させる。ＩＬがＩＧＢＴ群Ｉａｎ／Ｉａｐを流れ始めてから１０ｍｓ未満で、これらのＩＧＢＴがオフ切換命令を受け、それと同時にＩＧＢＴ群Ｉｂｎ／Ｉｂｐが（少なくとも通常は）オン切換命令を受ける。
【００５６】
オフに切り換わるＩＧＢＴで発生する電圧は、並列に位置しているバリスタに伝わる。数百ｎｓ後にバリスタのクランプ電圧に達すると、バリスタが導通し始め、ＩＧＢＴでの電圧が以下の２つの成分に分かれる。
【００５７】
−まだわずかに上昇するバリスタ電圧。
【００５８】
−ＩＧＢＴと並列のバリスタとの間での小さい転流回路のＬ・ｄｉ／ｄｔ。
【００５９】
ＩＧＢＴへのバリスタの結合はインダクタンスが非常に低いので、ＩＧＢＴからバリスタへの最大負荷電流の転流は０．１〜１μｓ以内に生じる。
【００６０】
バリスタは、負荷電流が流れるバリスタの電圧が、一方では並列のＩＧＢＴの最大ブロック電圧未満であり、他方ではステップ電圧の最大瞬時値よりも高い電圧範囲で変動するように寸法設計される。
【００６１】
バリスタ電圧の瞬時値がステップ電圧の瞬時値を超えていると、Ａ側からほぼ一定のｄｉ／ｄｔで負荷電流が転流放出し、ステップ電圧およびステップ巻線Ｌσの漏れインダクタンスを介して同じｄｉ／ｄｔ（この場合は正）でＢ側に移り進む（大きい方の転流回路）。Ａ側でバリスタを通って流れる電流が連続的に減少するにも関わらず、バリスタ電圧は、１次近似では一定である。
【００６２】
約１０μｓ後、電流が流れているＡ側のバリスタから、導通しているＢ側のＩＧＢＴに負荷電流がすべて転流する。Ａ側の電流が値０に近づくことにより、スイッチ群Ａでの電圧は根本的に変わる。
【００６３】
バリスタ電圧が崩壊し、過渡的な
【数３】
0005599796.tif 000004
が消滅し、ＩＧＢＴ−バリスタ群Ａにステップ電圧が現れ、このステップ電圧は、一方の遮断するＩＧＢＴおよびそれぞれ並列に位置するバリスタの極性に依存する。ステップ電圧のピーク値がかかった場合でさえ、バリスタは、有意な電流を通さない。
【００６４】
Ａ側からＢ側への負荷電流のパワーエレクトロニクス転流が始まって１０ｍｓ未満で、主固定接点ＭＣｂが閉じられ、ＩＧＢＴ群Ｂが分流される。次いで、ＩＧＢＴ  Ｉｂｎ／Ｉｂｐは、ゲート制御によって非導通状態に切り換えられる。
【００６５】
切換シーケンスは、機械的な作動接点ＤＳａおよびＤＳｂを開くことで終了し、これらの開いた接点が、ステップ巻線で有効となり得る過渡電圧要求からＩＧＢＴを保護する。
【００６６】
図３に、請求項１による方法を実施するのに適した変形回路が示されており、この回路では、各側の２つのバリスタＶａｎ、ＶａｐまたはＶｂｎ、Ｖｂｐが、それぞれ共通のバリスタＶａまたはＶｂにまとめられている。ここでも同様に、各側の各機械的なスイッチＤＳａまたはＤＳｂとそれに関連する側の各バリスタＶａまたはＶｂとが、共通の負荷放電部に通じる直列接続部を形成する。
【００６７】
図４に、本発明によるさらなる変形方法が示され、この方法は、流れの簡略化を根底に置いており、機械的なスイッチは設けられない。負荷電流を転流するためにバリスタを使用するという本発明の全般的な思想は、この方法でも実現される。
【００６８】
このさらなる方法は、負荷時タップ切換器においてやはり２つの負荷分岐部が提供され、２つの負荷分岐部がそれぞれ、２つの逆向きに接続されたＩＧＢＴ  Ｉａｎ、Ｉａｐ；Ｉｂｎ、Ｉｂｐからなる直列接続部を含み、各ＩＧＢＴに並列に１つのダイオードｄａｎ、ｄａｐ；ｄｂｎ、ｄｂｐが接続されることを基礎とする。上記の各ＩＧＢＴ  Ｉａｎ、Ｉａｐ；Ｉｂｎ、Ｉｂｐに並列に各１つのバリスタＶａｎ、Ｖａｐ；Ｖｂｎ、Ｖｂｐが接続される。
【００６９】
切換の開始として、オフに切り換わる側のＩＧＢＴ  ＩａｎおよびＩａｐが負荷電流を導く。
【００７０】
その後、これらのＩＧＢＴがオフ切換命令を受け、オンに切り換わる側のＩＧＢＴ  ＩｂｎおよびＩｂｐがオン切換命令を受ける。オフに切り換わる側のＩＧＢＴは、「確実に」オフに切り換わる。その後、本発明によれば、負荷電流が、オフに切り換わる側のバリスタＶａｎおよびＶａｐに転流される。
【００７１】
さらにその後、負荷電流が、受電側のＩＧＢＴ  ＩｂｎおよびＩｂｐに転流されて、そこから導かれる。
【００７２】
既に述べたように、この簡略化した方法は、機械的な作動接点および機械的な主固定接点を有さず、定常動作時に負荷電流がＩＧＢＴから導かれる負荷時タップ切換器を基礎とする。図１に示される方法と図４に示される方法はどちらも同じ発明思想に則っており、本発明の課題を同様に解決する。
【００７３】
最後に、従来技術に勝る本発明による方法の既に詳述した利点をもう一度まとめる。
【００７４】
・ＩＧＢＴの熱的過負荷を伴わずに負荷電流の各任意の瞬時値において切換を行えるオプション。
【００７５】
・負荷時タップ切換器のＡ側→Ｂ側またはＢ側→Ａ側の非常に迅速な負荷電流転流プロセス（約１０μｓ以内）。
【００７６】
・外乱振動の回避。
【００７７】
・ステップ電圧および定格通過電流の限界値を超えていない限り、各負荷時タップ切換器を、命令された場合の（Ｂｅｓｔｅｌｌｆａｌｌｓ）具体的な定格ステップデータ（ステップ電圧、定格通過電流、漏れインダクタンス）に合わせて適合させることは不要である。
【００７８】
・２つのＩＧＢＴスイッチ群のスイッチ時間のずれに関して非常に広い許容範囲を有するロバストで本質的に安全な転流コンセプト。比較的長時間の動作後も再調整が不要である。
【図１】
0005599796.tif 000005
【図２】
0005599796.tif 000006
【図３】
0005599796.tif 000007
【図４】
0005599796.tif 000008